(57)【要約】【課題】短時間でプレビューを完了可能なデジタルカメラを提供する。【解決手段】デジタルカメラ１は、プレビュー画像の撮影および表示を本撮影に先立って実行可能である。デジタルカメラ１は、焦点、焦点距離および絞り値のいずれかがプレビュー表示中に変更された場合、プレビュー画像の撮影および表示を再実行する。一方、デジタルカメラ１は、シャッタスピードまたは露出補正がプレビュー表示中に変更された場合、プレビュー表示をライブビュー表示に切り替える。また、プレビュー画像の画素数は本画像の画素数より少なくなっている。【選択図】図１
2005303351.tif 000002
【特許請求の範囲】
【請求項１】
撮像装置であって、
撮像により画像データを生成する撮像手段と、
前記画像データを一時記憶する一時記憶手段と、
前記一時記憶手段から読み出された前記画像データに係る画像を表示する第１表示手段と、
を備え、
第１撮影設定による静止画像の撮影によって前記撮像手段が第１画素数の本画像データを生成する本撮影処理と、
第２撮影設定による静止画像の撮影によって前記撮像手段が第２画素数のプレビュー画像データを生成するとともに、前記プレビュー画像データを前記一時記憶手段に一時記憶し、前記プレビュー画像データに係るプレビュー画像を第１表示手段に表示するプレビュー撮影処理と、
を実行可能であり、
前記第１画素数より前記第２画素数が少ないことを特徴とする撮像装置。
【請求項２】
請求項１に記載の撮像装置において、
前記第１撮影設定および第２撮影設定が撮影条件について同一の設定であることを特徴とする撮像装置。
【請求項３】
請求項１または請求項２に記載の撮像装置において、
前記プレビュー画像を前記第１表示手段に拡大表示可能であり、
前記第２画素数が、前記第１表示手段の表示可能画素数と、前記拡大表示に係る拡大率の二乗との積以上であることを特徴とする撮像装置。
【請求項４】
請求項１ないし請求項３のいずれかに記載の撮像装置において、
撮像された動画像を前記第１表示手段にリアルタイムで表示する第１ライブビュー処理をさらに実行可能であり、
前記プレビュー画像が前記第１表示手段に表示されている場合に、
前記第２撮影設定に含まれる第１設定項目における設定変更に応答して、前記第１ライブビュー処理を実行し、
前記第２撮影設定に含まれる第２設定項目における設定変更に応答して、前記プレビュー撮影処理を再実行することを特徴とする撮像装置。
【請求項５】
請求項４に記載の撮像装置において、
前記第１設定項目が焦点、焦点距離および絞り値のいずれかであることを特徴とする撮像装置。
【請求項６】
請求項４に記載の撮像装置において、
前記第２設定項目がシャッタスピードおよび露出補正のいずれかであることを特徴とする撮像装置。
【請求項７】
請求項１ないし請求項６のいずれかに記載の撮像装置において、
前記プレビュー画像における輝度分布を表現したヒストグラムを前記プレビュー画像に重畳表示することを特徴とする撮像装置。
【請求項８】
請求項１ないし請求項７のいずれかに記載の撮像装置において、
撮像された動画像を前記第２表示手段にリアルタイムで表示する第２ライブビュー処理をさらに実行可能であり、
前記プレビュー画像が前記第１表示手段に表示されている場合に、前記第２ライブビュー処理を実行することを特徴とする撮像装置。
【発明の詳細な説明】
【技術分野】
【０００１】
本発明は、本撮影に先立ってプレビューを表示可能な撮像装置に関する。
【背景技術】
【０００２】
従来より、記録用の画像データを生成する本撮影に先立って、本撮影で使用される撮影設定で撮影した事前チェック用のプレビュー画像を表示するデジタルカメラが知られている。例えば、特許文献１には、従来から銀塩カメラで行われているような、本撮影で使用される絞り値設定で撮影した事前チェック用のプレビュー画像を表示するデジタルカメラが開示されている。
【０００３】
【特許文献１】特開２００１−１６９１５４号公報
【発明の開示】
【発明が解決しようとする課題】
【０００４】
しかし、デジタルカメラにおいては、撮像センサの高画素化により本撮影で生成される本画像データの画素数が増加している。このため、プレビュー画像の表示にあたって、本撮影と同一の画素数の画像データを生成し、当該画像データに係る画像を表示しようとすると、かなりの時間を要するという問題が生じる。
【０００５】
本発明は、この問題を解決するためになされたもので、短時間でプレビューを完了可能なデジタルカメラを提供することを目的とする。
【課題を解決するための手段】
【０００６】
上記課題を解決するため、請求項１の発明は、撮像装置であって、撮像により画像データを生成する撮像手段と、前記画像データを一時記憶する一時記憶手段と、前記一時記憶手段から読み出された前記画像データに係る画像を表示する第１表示手段とを備え、第１撮影設定による静止画像の撮影によって前記撮像手段が第１画素数の本画像データを生成する本撮影処理と、第２撮影設定による静止画像の撮影によって前記撮像手段が第２画素数のプレビュー画像データを生成するとともに、前記プレビュー画像データを前記一時記憶手段に一時記憶し、前記プレビュー画像データに係るプレビュー画像を第１表示手段に表示するプレビュー撮影処理とを実行可能であり、前記第１画素数より前記第２画素数が少ないことを特徴とする。
【０００７】
請求項２の発明は、請求項１に記載の撮像装置において、前記第１撮影設定および第２撮影設定が撮影条件について同一の設定であることを特徴とする。
【０００８】
請求項３の発明は、請求項１または請求項２に記載の撮像装置において、前記プレビュー画像を前記第１表示手段に拡大表示可能であり、前記第２画素数が、前記第１表示手段の表示可能画素数と、前記拡大表示に係る拡大率の二乗との積以上であることを特徴とする。
【０００９】
請求項４の発明は、請求項１ないし請求項３のいずれかに記載の撮像装置において、撮像された動画像を前記第１表示手段にリアルタイムで表示する第１ライブビュー処理をさらに実行可能であり、前記プレビュー画像が前記第１表示手段に表示されている場合に、前記第２撮影設定に含まれる第１設定項目における設定変更に応答して、前記第１ライブビュー処理を実行し、前記第２撮影設定に含まれる第２設定項目における設定変更に応答して、前記プレビュー撮影処理を再実行することを特徴とする。
【００１０】
請求項５の発明は、請求項４に記載の撮像装置において、前記第１設定項目が焦点、焦点距離および絞り値のいずれかであることを特徴とする。
【００１１】
請求項６の発明は、請求項４に記載の撮像装置において、前記第２設定項目がシャッタスピードおよび露出補正のいずれかであることを特徴とする。
【００１２】
請求項７の発明は、請求項１ないし請求項６のいずれかに記載の撮像装置において、前記プレビュー画像における輝度分布を表現したヒストグラムを前記プレビュー画像に重畳表示することを特徴とする。
【００１３】
請求項８の発明は、請求項１ないし請求項７のいずれかに記載の撮像装置において、撮像された動画像を前記第２表示手段にリアルタイムで表示する第２ライブビュー処理をさらに実行可能であり、前記プレビュー画像が前記第１表示手段に表示されている場合に、前記第２ライブビュー処理を実行することを特徴とする。
【発明の効果】
【００１４】
請求項１ないし請求項８の発明によれば、本画像データよりプレビュー画像データの画素数が少ないので、プレビュー撮影処理を高速に実行可能である。
【００１５】
請求項２の発明によれば、本撮影処理と同一の撮影設定によるプレビュー撮影処理を実行可能であるので、本撮影処理により得られる画像と同様の画像をプレビュー撮影処理により得ることができる。これにより、本撮影処理により得られる画像の事前確認が容易になる。
【００１６】
請求項３の発明によれば、プレビュー画像の拡大表示部分に含まれる画素数が第１表示手段の表示可能画素数よりも多くなるので、プレビュー画像を拡大表示しても画像品質が劣化しない。
【００１７】
請求項４ないし請求項６の発明によれば、設定変更が行われた設定項目に応じて、プレビュー撮影処理または第１ライブビュー処理が行われるので、設定変更の影響を適切に認識可能となる。
【００１８】
請求項５の発明によれば、焦点、焦点距離および絞り値のいずれか変更により第１ライブビュー処理が実行されるので、焦点、焦点距離および絞り値の変更を適切に認識可能となる。
【００１９】
請求項６の発明によれば、シャッタスピードおよび露出補正のいずれか変更によりプレビュー撮影処理が再実行されるので、シャッタスピードおよび露出補正の変更を適切に認識可能となる。
【００２０】
請求項７の発明によれば、プレビュー画像における輝度分布を認識可能となるので、撮影設定を適切に決定可能となる。
【００２１】
請求項８の発明によれば、プレビュー画像およびライブビュー画像を一時に閲覧可能であるので、デジタルカメラの利便性が高まる。
【発明を実施するための最良の形態】
【００２２】
本実施形態のデジタルカメラ１は、撮影待機状態でライブビュー表示を行うとともに、事前チェック用のプレビュー画像の撮影および表示を本撮影に先立って実行可能である。デジタルカメラ１は、焦点、焦点距離および絞り値のいずれかがプレビュー表示中に変更された場合、プレビュー画像の撮影および表示を再実行する。一方、デジタルカメラ１は、シャッタスピードまたは露出補正がプレビュー表示中に変更された場合、プレビュー表示をライブビュー表示に切り替える。
【００２３】
＜外観構成＞
図１〜図４は、デジタルカメラ１の外観構成を示す図である。図１〜図４は、それぞれ、デジタルカメラ１の正面図、上面図、側面図および背面図に相当する。
【００２４】
デジタルカメラ１の正面には、撮像レンズ１０１、測光センサ１０２およびフラッシュ１０３が設けられる。撮像レンズ１０１は、被写体からの反射光を取得し、後述する撮像センサ２０１の受光面に当該反射光を結像させる。測光センサ１０２は被写体の輝度を測光し、フラッシュ１０３はフラッシュ撮影時にフラッシュ光を被写体に照射する。
【００２５】
デジタルカメラ１の上面には、シャッタボタン１０４、撮影モード切替スイッチ１０５、プレビュースイッチ１０６およびモニタ拡大スイッチ１０７が設けられる。
【００２６】
シャッタボタン１０４は、丸型の押しボタンを有する押しボタンスイッチによって構成される。シャッタボタン１０４は、半押し状態（以下では「Ｓ１状態」とも称する）と全押し状態（以下では「Ｓ２状態」とも称する）とを区別して検出可能な２段階スイッチである。デジタルカメラ１は、シャッタボタン１０４がＳ１状態となったことを検出するとオートフォーカス（ＡＦ）制御等の撮影準備動作を開始し、シャッタボタン１０４がＳ２状態となったことを検出すると本撮影動作を開始する。
【００２７】
撮影モード切替スイッチ１０５は、シャッタボタン１０４の丸型の押しボタンの円周に沿って回転可能な回転部材１０５ａを有する２接点ロータリースイッチによって構成される。デジタルカメラ１は、回転部材１０５ａに設けられたノブ１０５ｂの位置がＰＬＡＹ位置またはＲＥＣ位置に設定されたことを検出すると、それぞれ、デジタルカメラ１の動作モードを再生モードまたは撮影モードに設定する。再生モードとは、デジタルカメラ１に装着されたメモリカード２０８に記録された画像を再生表示する動作モードであり、撮影モードとは、撮影を行ってメモリカード２０８に画像を記録する動作モードである。
【００２８】
プレビュースイッチ１０６は、背面に設けられたＬＣＤ(Liquid Crystal Display)表示モニタ（以下では単に「モニタ」とも称する）１１０または電子ビューファインダ（以下では単に「ファインダ」とも称する）１１１にプレビュー画像を表示させる指示をデジタルカメラ１に与えるための操作部材である。デジタルカメラ１は、プレビュースイッチ１０６の押下を検出すると、プレビュー画像の撮影を実行し、当該プレビュー画像をモニタ１１０またはファインダ１１１に表示する。
【００２９】
モニタ拡大スイッチ１０７は、モニタ１１０またはファインダ１１１に表示された画像の拡大指示をデジタルカメラ１に与えるための操作部材である。デジタルカメラ１は、モニタ拡大スイッチ１０７の押下を検出すると、モニタ１１０またはファインダ１１１に表示された画像を拡大する。
【００３０】
デジタルカメラ１の側面には、外部電源接続端子１０８および映像出力端子１０９が設けられる。外部電源接続端子１０８は、外部直流電源を接続するために用いられる。映像出力端子１０９は、外部映像機器を接続するために使用される。
【００３１】
デジタルカメラ１の背面には、総画素数Ｄ1のモニタ１１０および総画素数Ｄ2のファインダ１１１が設けられる。モニタ１１０およびファインダ１１１は、Ｒ（赤），Ｇ（緑），Ｂ（青）の３つの色成分の画素を有しており、カラー画像を表示可能である。モニタ１１０およびファインダ１１１では、一画素で表現可能な色成分はひとつであるので、モニタ１１０およびファインダ１１１でカラー表示可能な実質的な画素数（以下では「表示可能画素数」とも称する）は、それぞれ、Ｄ1／３およびＤ2／３となる。
【００３２】
デジタルカメラ１の背面には、さらに、電子ファインダ切替スイッチ１１２および４連スイッチ１１３が設けられる。
【００３３】
電子ファインダ切替スイッチ１１２は、ノブ１１２ａの移動により電気的な接続状態を３通りに変化可能な３接点スライドスイッチによって構成される。デジタルカメラ１は、ノブ１１２ａが上方のモニタ位置または下方のファインダ位置に設定されたことを検出すると、それぞれ、モニタ１１０またはファインダ１１１を画像表示に使用する動作状態となる。また、デジタルカメラ１は、ノブ１１２ａが中央のＯＦＦ位置に設定されたことを検出すると、モニタ１１０およびファインダ１１１による画像表示を行わない動作状態となる。なお、以下では、電子ファインダ切替スイッチ１１２によって選択された表示手段を「選択表示手段」とも称する。
【００３４】
４連スイッチ１１３は、メニュー画面におけるカーソル移動等に使用される４個のボタン１１３Ｕ、１１３Ｄ，１１３Ｌおよび１１３Ｒから構成される。ボタン１１３Ｕ、１１３Ｄ，１１３Ｌおよび１１３Ｒのうち、左ボタン１１３Ｌおよび右ボタン１１３Ｒは、再生モードにおいては再生画像の駒送りに使用され、撮影モードにおいてはズーム倍率（焦点距離）の変更に使用される。また、４連スイッチ１１３は、所定の方法によりモニタ１１０に呼び出されるメニュー画面において、撮影条件についての撮影設定を変更するためにも用いられる。デジタルカメラ１では、当該メニュー画面においてマニュアルで変更可能な撮影設定に、焦点（合焦状態）、絞り値、シャッタスピードおよび露出補正が含まれる。また、当該メニュー画面においては、本撮影により記録される画像データの画像サイズ（画素数）も設定可能である。
【００３５】
＜内部構成＞
図５は、撮像装置であるデジタルカメラ１の内部構成を示すブロック図である。
【００３６】
デジタルカメラ１では、撮像レンズ１０１を構成する複数のレンズの位置をフォーカスモータによって移動することにより、合焦状態を変化させる。また、撮像レンズ１０１は、撮像センサ２０１に入射する光量を変化させる絞り２０２を備える。絞り２０２は、メカニカルシャッタも兼ねる。絞り２０２の絞り値は、絞りモータによって変化させることができる。フォーカスモータおよび絞りモータの駆動のための動作電力は、それぞれ、フォーカスモータドライバ２０３および絞りドライバ２０４から供給される。フォーカスモータドライバ２０３および絞りドライバ２０４は、カメラ制御ＣＰＵ２０５から与えられる制御信号に基づいてフォーカスモータおよび絞りモータへ駆動のための動作電力を供給する。
【００３７】
撮像レンズ１０１によって結像された被写体の光像は、撮像センサ２０１によって画像信号へ光電変換される。撮像センサ２０１は、受光セルが受光面にマトリクス状に配列されたＣＣＤ撮像素子によって構成される。各受光セル上には、Ｒ，Ｇ，Ｂのいずれかの色の原色透過フィルタが形成されており、各受光セルが出力する画素信号の色成分は当該原色透過フィルタの色に対応づけられる。原色透過フィルタの色の配列は、ベイヤー配列となっている。また、撮像センサ２０１からの画像信号の読み出しは、タイミングジェネレータセンサドライブ２０６から与えられる信号に同期してインターレース方式によって行われる。者っ他スピードに相当する撮像センサ２０１の露光時間は、ＣＣＤ撮像素子における電荷蓄積時間を当該信号によって変更することによっても変更される。また、当該信号は、カメラ制御ＣＰＵ２０５から与えられる制御信号に基づいて生成される。
【００３８】
ここで、カメラ制御ＣＰＵ２０５による自動露出制御について説明する。
【００３９】
撮影モードの撮影待機状態のライブビュー時には、カメラ制御ＣＰＵ２０５は、絞りドライバ２０４に制御信号を出力して、絞り２０２を開放固定とする。デジタルカメラ１では、撮像センサ２０１によって撮像される画像中に露出制御のための測光エリアが設定されており、当該測光エリアの測光結果である光量データに基づいてカメラ制御ＣＰＵ２０５が露出制御データを算出する。すなわち、カメラ制御ＣＰＵ２０５は、光量データおよびプログラム線図からシャッタスピードを決定し、当該シャッタスピードを実現するための制御信号をタイミングジェネレータセンサドライブ２０６へ出力する。
【００４０】
一方、撮影モードの本撮影時には、カメラ制御ＣＰＵ２０５は、光量データおよびプログラム線図から絞り２０２の絞り値およびシャッタスピードを決定し、当該絞り値を実現するための制御信号を絞りドライバ２０４へ出力し、当該シャッタスピードを実現するための制御信号をタイミングジェネレータセンサドライブ２０６へ出力する。
【００４１】
なお、デジタルカメラ１では、先述したように、絞り値およびシャッタスピードのマニュアル調整や露出補正も可能となっている。
【００４２】
再び図５に戻って、デジタルカメラ１の内部構成を説明する。
【００４３】
撮像センサ２０１から読み出されたアナログの画像信号は、ＣＤＳ(Correlated Double Sampling)回路２５１、ＡＧＣ(Automatic Gain Control)回路２５２およびＡ／Ｄ変換器２５３を備える信号処理部２５０へ与えられる。ＣＤＳ回路２５１はサンプリングした画像信号のノイズ低減処理を行い、ＡＧＣ回路２５２は画像信号のレベル調整を行う。ＡＧＣ回路２５２は、撮像センサ２０１の感度調整手段となっている。ＡＧＣ回路２５２は、タイミングジェネレータセンサドライブ２０６から与えられる制御信号に基づいて動作する。Ａ／Ｄ変換器２５３は、ＡＧＣ回路２５２で正規化されたアナログの画像信号を１２ビットのデジタル画像信号に変換する。
【００４４】
信号処理部２５０から出力された画像信号の処理を行う画像処理ＣＰＵ２６０は、ワンチップのデジタル信号処理プロセッサである。画像処理ＣＰＵ２６０は、撮像センサ２０１からの画像信号の読み出しと同期して、入力された画像信号を画像データとして画像メモリ２０７へ書き込む。画像処理ＣＰＵ２６０における画像処理は、画像メモリ２０７に一時的に記憶された画像データに対して行われる。
【００４５】
画像処理ＣＰＵ２６０の内部には、ＲＡＷ補間部２６１、デジタル処理部２６０Ｐおよび画像圧縮部２６７が設けられる。デジタル処理部２６０Ｐは、画素補間部２６２、解像度変換部２６３、カラーバランス制御部２６４、ガンマ補正部２６５およびシェーディング補正部２６６を備える。
【００４６】
画像メモリ２０７に書き込まれた画像データには、ＲＡＷ補間部２６１および画素補間部２６２による補間処理が行われる。
【００４７】
ＲＡＷ補間部２６１は、画像データからＲ，Ｇ，Ｂの各色成分のデータを抽出する。当該抽出処理は、Ｒ，Ｇ，Ｂの各色成分のフィルタパターンを画像データに適用して、抽出対象の色成分以外の画素データを有する画素をマスクすることにより行う。画素補間部２６２は、ＲＡＷ補間部２６１で抽出された各色成分のデータにおいて、抽出した色成分の画素データを有しない画素に当該色成分の画素データを補間により付与する。具体的には、相対的に高い空間周波数成分を有する色成分Ｇのデータにおいては、色成分Ｇの画素データを有しない画素に、メディアンフィルタを用いて、色成分Ｇの画素データを有する周辺４画素の画素データ中の中間２値の平均値を画素データとして付与する。また、色成分Ｒのデータにおいては、色成分Ｒの画素データを有しない画素に、色成分Ｒの画素データを有する周辺２画素の画素データの平均値を画素データとして付与する。色成分Ｂの画素データにおいては、色成分Ｒの画素データと同様の処理が行われる。
【００４８】
補間処理後の画像データには、解像度変換部２６３による解像度変換処理が施される。解像度変換部２６３は、画像データに係る画像の水平方向および垂直方向の縮小または間引きによって解像度（画像サイズないしは画素数）を変換する。解像度変換にあたって、撮像センサ２０１からの画素信号の読み出しを垂直方向に間引きする処理を併用してもよい。この解像度変換処理によって、設定された画素数の記録用の本画像データが生成されるとともに、モニタ１１０およびファインダ１１１の表示に使用される低解像度画像が生成される。
【００４９】
カラーバランス制御部２６４は、解像度変換後の画像データの各色成分のレベル調整を行う。カラーバランス制御部２６４は、輝度データおよび彩度データ等から画像中の白色部分を推測する。さらに、カラーバランス制御部２６４は、当該白色部分における各色成分の画素データの平均値を算出し、当該平均値についてＧ／ＲおよびＧ／Ｂを算出して、色成分ＲおよびＧのレベル調整に係る補正ゲインを決定する。
【００５０】
カラーバランス調整が施された画像データは、シェーディング補正部２６６でシェーディング補正が施され、ガンマ補正部２６５で画像データの出力先に適した階調特性への変換を行う非線型変換が行われる。
【００５１】
さらに、画像処理ＣＰＵ２６０の内部には、測距演算部２６８、ＯＳＤ（オン・スクリーン・ディスプレイ）部２６９、ビデオエンコーダ２７０、メモリカードドライバ２７１および画像圧縮部２６７が設けられる。
【００５２】
測距演算部２６８は、シャッタボタン１０４がＳ１状態となった時およびプレビュースイッチ１０６が操作された時にデジタルカメラ１で実行されるＡＦ制御に使用される評価値の演算を行う。当該評価値は、例えば、画像上に設定されたオートフォーカス制御用のエリア内で隣接画素間の画素データの差分の絶対値を集計することにより算出される。デジタルカメラ１は、カメラ制御ＣＰＵ２０５がフォーカスモータドライバ２０３に制御信号を出力して撮像レンズ１０１を構成するレンズを移動することによって、当該評価値が極大となる合焦状態を実現する。なお、デジタルカメラ１では、先述したように、マニュアルによる焦点調整も可能となっている。
【００５３】
ＯＳＤ部２６９は、各種の文字、記号およびフレーム等を表示画像の任意位置に表示させる処理を実行する。
【００５４】
ビデオエンコーダ２７０は、画像メモリ２０７から読み出した画像データをＮＴＳＣ／ＰＡＬ方式でエンコードして、それぞれ、モニタ１１０またはファインダ１１１へ出力する。これにより、モニタ１１０またはファインダ１１１には、読み出した画像データに係る画像が表示される。
【００５５】
メモリカードドライバ２７１は、デジタルカメラ１に装着されたメモリカード２０８への画像データの書き込み処理およびメモリカード２０８からの画像データの読み出し処理を実行する。画像データの書き込み処理にあたっては、再生表示用のスクリーンネイル画像データが生成されてメモリカード２０８に画像データとリンクされて記録される。デジタルカメラ１の再生モードにおいては、当該スクリーンネイル画像データが読み出されて表示される。
【００５６】
カメラ制御ＣＰＵ２０５は、カメラ操作スイッチ２０９へ与えられた操作を検出して、デジタルカメラ１の動作状態へ反映させる。カメラ操作スイッチ２０９は、先述のシャッタボタン１０４、撮影モード切替スイッチ１０５、電子ファインダ切替スイッチ１１２および４連スイッチ１１３を包含している。カメラ制御ＣＰＵ２０５は、画像処理ＣＰＵ２６０とバスで接続されており、画像処理ＣＰＵ２６０に各種コマンドを与えることができる。
【００５７】
画像圧縮部２６７は、画像データのメモリカード２０８への書き込みにあたって、ＪＰＥＧ方式等による画像圧縮処理を行う。
【００５８】
上述の撮像センサ２０１、信号処理部２５０および画像処理ＣＰＵ２６０は、撮像により画像データを生成する撮像手段の例示となっている。
【００５９】
＜撮影モードにおける動作＞
図６〜図８は、デジタルカメラ１の撮影モードの動作を示すフローチャートである。
【００６０】
撮影モード切替スイッチ１０５がＲＥＣ位置に設定されデジタルカメラ１の動作モードが撮影モードとなると、デジタルカメラ１は絞り２０２を開放固定に設定した後（ステップＳ１）、ライブビュー表示を行う（ステップＳ２）。ライブビュー表示では、撮像センサ２０１が所定時間間隔で撮像した動画像がリアルタイムで表示される。画像表示には、先述の選択表示手段が用いられる。
【００６１】
続いて、ライブビュー表示を継続しつつ、プレビュースイッチ１０６の操作の検出が行われる（ステップＳ３）。ステップＳ３においてプレビュースイッチ１０６の操作が検出されない場合、動作フローはステップＳ３へ戻る。一方、ステップＳ３においてプレビュースイッチ１０６の操作が検出された場合、動作フローは次のステップＳ４へ移行する。したがって、デジタルカメラ１では、プレビュースイッチ１０６の操作が検出されるまでステップＳ３が継続実行され、ライブビュー表示が継続される。
【００６２】
プレビュースイッチ１０６の操作検出後のステップＳ４では、ＡＦ制御により合焦状態が実現される。また、デジタルカメラ１の撮影設定の確認すなわち読み出しが行われる。さらに、本撮影に係る本画像データの画素数Ｌおよび選択表示手段の表示可能画素数Ｄ／３（表示可能画素数Ｄ1／３または表示可能画素数Ｄ2／３）に基づいてプレビュー画像の記録画素数ｘが決定される（ステップＳ５）。画素数ｘは、式（１）で示す範囲内で決定される。ただし、拡大率Ｅは、モニタ拡大スイッチ１０７を押下した時の画像拡大率（線比）である。
【００６３】
【数１】
2005303351.tif 000003
【００６４】
画素数ｘを、画素数Ｌより小さく設定することにより、プレビュー画像の撮影および表示に必要な処理を減らすことが可能になり、プレビュー表示を高速に行うことが可能になる。また、画素数ｘを表示可能画素数Ｄ／３に拡大率Ｅの二乗を乗じた値以上とすることにより、プレビュー画像中の拡大部分を構成する画素数が表示可能画素数より大きくなるので、プレビュー画像を拡大率Ｅで拡大した場合でも画像品質が低下しない。
【００６５】
ステップＳ６〜Ｓ７は、プレビュー撮影処理に係るステップ群である。
【００６６】
ステップＳ６では、ステップＳ４で読み出された撮影設定（焦点距離、焦点、絞り値、シャッタスピードおよび露出補正）でプレビュー画像の撮影（以下では、「プレビュー撮影」とも称する）が行われ、当該プレビュー画像に係るプレビュー画像データが画像メモリ２０７に一時記憶される。すなわち、ステップＳ６では、画素数が減じられている以外は本撮影と同様の撮影設定でプレビュー撮影が行われる。このように本撮影と同様の設定でプレビュー撮影を行うことにより、本撮影により得られる画像と同様の画像をプレビュー撮影により得ることができる。これにより、本撮影により得られる画像の事前確認をプレビュー画像によって行うことが容易になる。なお、ここでは、本撮影の撮影設定と同一の設定をプレビュー撮影に適用する例を示したが、本撮影の事前確認という目的を損ねない範囲で、本撮影とプレビュー撮影との間で撮影設定を異ならせることも妨げられない。ステップＳ６で撮影されたプレビュー画像は、ステップＳ７において選択表示手段に表示される。
【００６７】
ステップＳ８〜Ｓ１２は、デジタルカメラ１において撮影設定変更が行われた場合における選択表示手段の表示変化を実現するためのステップ群である。
【００６８】
まず、ズーム操作の検出が行われる（ステップＳ８）。ステップＳ８においてズーム操作が検出された場合、ステップＳ１３で焦点距離の変更処理が行われた後に動作フローはステップＳ２へ戻る。一方、ステップＳ８においてズーム操作が検出されない場合、動作フローは次のステップＳ９へ移行する。したがって、デジタルカメラ１では、ズーム操作が検出されると、プレビュー表示がクリアされて、選択表示手段ではライブビュー表示が行われる。当該ライブビュー表示においては、変更後の焦点距離による撮像によって得られた動画像が表示される。
【００６９】
続いて、マニュアルピント操作（焦点のマニュアル調整）の検出が行われる（ステップＳ９）。ステップＳ９においてマニュアルピント操作が検出された場合、ステップＳ１４で焦点の変更処理が行われた後に動作フローはステップＳ２へ戻る。一方、ステップＳ９においてマニュアルピント操作が検出されない場合、動作フローは次のステップＳ１０へ移行する。したがって、デジタルカメラ１では、マニュアルピント操作が検出されると、ズーム操作が検出された場合と同様に、プレビュー表示がクリアされて、選択表示手段ではライブビュー表示が行われる。当該ライブビュー表示においては、変更後の焦点による撮像によって得られた動画像が表示される。
【００７０】
さらに続いて、絞り値変更操作の検出が行われる（ステップＳ１０）。ステップＳ１０において絞り値変更操作が検出された場合、ステップＳ１５で絞り値の変更処理が行われた後に動作フローはステップＳ２へ戻る。一方、ステップＳ１０において絞り値変更操作が検出されない場合、動作フローは次のステップＳ１１へ移行する。したがって、デジタルカメラ１では、絞り値変更操作が検出されると、ズーム操作が検出された場合と同様に、プレビュー表示がクリアされて、選択表示手段ではライブビュー表示が行われる。当該ライブビュー表示においては、変更後の絞り値による撮像によって得られた動画像が表示される。
【００７１】
さらに続いて、シャッタスピード変更操作の検出が行われる（ステップＳ１１）。ステップＳ１１においてシャッタスピード変更操作が検出された場合、ステップＳ１６でシャッタスピードの変更処理が行われた後に動作フローはステップＳ６へ戻る。一方、ステップＳ１１においてシャッタスピード変更操作が検出されない場合、動作フローは次のステップＳ１２へ移行する。したがって、デジタルカメラ１では、シャッタスピード変更操作が検出されると、プレビュー撮影処理が再実行されて、選択表示手段では新たなプレビュー表示が行われる。当該プレビュー表示においては、変更後のシャッタスピードによる撮影によって得られた静止画像が表示される。
【００７２】
さらに続いて、露出補正変更操作の検出が行われる（ステップＳ１２）。ステップＳ１２において露出補正変更操作が検出された場合、ステップＳ１７で露出補正の変更処理が行われた後に動作フローはステップＳ６へ戻る。一方、ステップＳ１２において露出補正変更操作が検出されない場合、動作フローは次のステップＳ１８へ移行する。したがって、デジタルカメラ１では、露出補正変更操作が検出されると、プレビュー撮影処理が再実行されて、選択表示手段では新たなプレビュー表示が行われる。当該プレビュー表示においては、変更後の露出補正による撮影によって得られた静止画像が表示される。
【００７３】
上述の説明から明らかなように、デジタルカメラ１においては、プレビュー表示時に、撮影条件についての撮影設定のうち、焦点距離、焦点および絞り値という設定項目のいずれかの変更操作が行われると、プレビュー表示がライブビュー表示に切り替わられる。一方、デジタルカメラ１においては、プレビュー表示時に、撮影条件についての撮影設定のうち、シャッタスピードおよび露出補正という設定項目のいずれかの変更操作が行われると、プレビュー撮影処理が再実行される。このような違いは、シャッタスピードの変更が行われた場合、静止画像において状態の変化を確認することを操作者が望む可能性が高いことを考慮している。このような設定変更が行われた設定項目に応じた表示変更を行うことにより、設定変更の影響を適切に認識可能となる。
【００７４】
ステップＳ１８〜Ｓ２１は、デジタルカメラ１の本撮影処理に係るステップ群である。
【００７５】
ステップＳ１８では、レリーズ操作の検出が行われる。すなわち、シャッタボタン１０４の状態の検出が行われ、シャッタボタン１０４がＳ２状態となったことが検出された場合は動作フローはステップＳ１９へ移行し、検出されない場合は動作フローはステップＳ７へ戻る。
【００７６】
続いて、先述の撮影設定による静止画像の本撮影が行われ、本撮影により生成された画素数Ｌの本画像データがメモリカード２０８へ記録され（ステップＳ１９）、当該本画像がモニタ１１０にアフタービューとして表示される（ステップＳ２０）。さらに、ステップＳ２１では、撮影終了（デジタルカメラ１の動作モードが撮影モード以外に設定されること）の検出が行われ、撮影終了の場合は動作フローは終了し、撮影終了でない場合は動作フローはステップＳ１へ戻る。
【００７７】
なお、上記の動作フローにおいては、モニタ拡大スイッチ１０７の押下が検出されると、処理に割り込みが行われ、選択表示手段の表示が拡大率Ｅで拡大される。
【００７８】
＜画面遷移＞
図９は、撮影モードにおける選択表示手段の表示の遷移を示す図である。
【００７９】
デジタルカメラ１の動作モードが撮影モードに設定されると、選択表示手段にはライブビュー表示ＳＣ１が行われる。ライブビュー表示ＳＣ１では、撮像センサ２０１が所定時間間隔で撮像した動画像の表示が行われる。
【００８０】
ライブビュー表示ＳＣ１中にモニタ拡大スイッチ１０７の押下が行われると、選択表示手段には拡大ライブビュー表示ＳＣ２が行われる。拡大ライブビュー表示ＳＣ２はライブビュー表示ＳＣ１を拡大率Ｅで拡大したものに相当している。拡大ライブビュー表示ＳＣ２中にモニタ拡大スイッチ１０７の押下が行われると、選択表示手段には再びライブビュー表示ＳＣ１が呼び出される。
【００８１】
ライブビュー表示ＳＣ１中にプレビュースイッチ１０６の押下が行われると、選択表示手段の表示はプレビュー表示ＳＣ３に切り替わる。
【００８２】
プレビュー表示ＳＣ３中にズーム操作、マニュアルピント操作および絞り値変更操作のいずれかが行われると、操作に対応する撮影設定変更が行われた後に、選択表示手段の表示はライブビュー表示ＳＣ１へ移行する。一方、プレビュー表示ＳＣ３中にシャッタスピード変更操作および露出補正変更操作のいずれかが行われると、対応する撮影設定が変更された後にプレビュー撮影処理が再実行され、プレビュー表示ＳＣ３が更新される。
【００８３】
また、プレビュー表示ＳＣ３中にモニタ拡大スイッチ１０７の押下が行われると、選択表示手段の表示は拡大プレビュー表示ＳＣ４に切り替わる。拡大プレビュー表示ＳＣ４は、プレビュー表示ＳＣ３を拡大率Ｅで拡大したものである。拡大プレビュー表示ＳＣ４中にモニタ拡大スイッチ１０７の押下が行われた場合、選択表示手段の表示は、プレビュー表示ＳＣ３へ戻る。
【００８４】
一方、拡大プレビュー表示ＳＣ４中にズーム操作、マニュアルピント操作および絞り値変更操作のいずれかが行われると、操作に対応する撮影設定変更が行われたのにちに、選択表示手段の表示は拡大ライブビュー表示ＳＣ２へ移行する。一方、拡大プレビュー表示ＳＣ４中にシャッタスピード変更操作および露出補正変更操作のいずれかが行われると、対応する撮影設定が変更された後にプレビュー撮影処理が再実行され、拡大プレビュー表示ＳＣ４が更新される。
【００８５】
プレビュー表示ＳＣ３または拡大プレビュー表示ＳＣ４を行っている時に、シャッタボタン１０４が押下されると、デジタルカメラ１で本撮影処理が行われて、モニタ１１０の表示はアフタービュー表示ＳＣ５に切り替わり、しかる後にライブビュー表示ＳＣ１に戻る。
【００８６】
＜その他＞
○ヒストグラムの重畳表示；
メニュー画面においてヒストグラム表示が設定されている場合、図１０に示す通常のプレビュー画像にヒストグラムＨを重畳表示してもよい（図１１）。ヒストグラムＨは、プレビュー画像における輝度分布を表現したものであり、横軸が輝度値、縦軸が度数を示している。ヒストグラムＨの表示により、プレビュー画像における輝度分布を認識可能となるので、撮影設定を適切に決定可能となる。
【００８７】
○プレビューとライブビューの同時表示；
上述の実施形態において、モニタ１１０にプレビューが表示されている時に、ファインダ１１１にライブビューが同時に表示されるようにしてもよい。これにより、プレビューとライブビューとを同時に確認可能となり、デジタルカメラ１の利便性が向上する。
【００８８】
＜変形例＞
○一眼レフタイプのデジタルカメラへの適用；
上述の実施形態では、コンパクトタイプのデジタルカメラ１に本発明を適用した例を示したが、図１２に例示するような一眼レフタイプのデジタルカメラ３に本発明を適用することも可能である。デジタルカメラ３には、デジタルカメラ１のモニタ１１０に相当する液晶モニタ３０１と、デジタルカメラ１のプレビュースイッチ１０６に相当するプレビュースイッチ３０２と、光学式ファインダ３０３とが設けられる。このようなデジタルカメラ３においては、動画像のライブビューは光学式ファインダ３０３で閲覧するようにして、プレビューのみを液晶モニタ３０１で行うようにしてもよい。この場合、ライブビュー時には液晶モニタ３０１の表示を停止するようにしてもよいし、光学式ファインダ３０３と液晶モニタ３０１の両方でライブビューを閲覧できるようにしてもよい。
【００８９】
○シャッタスピードおよび露出補正の変更後の動作；
上述の実施形態では、シャッタスピード変更操作および露出補正変更操作により、自動的にプレビュー撮影処理を再実行するようにしたが、操作者のプレビュー撮影指示の待機状態となるようにしてもよい。この場合、図７のステップＳ１６またはＳ１７の移行先は、図６のステップＳ３となる。
【００９０】
○露出補正後の表示；
上述の実施形態では、露出補正の変更操作が行われた場合にプレビュー撮影処理が再実行されるようにしたが、ライブビュー表示が行われるようにしてもよい。
【００９１】
○選択表示画面の切り替えについて；
上述の実施形態では、撮影設定の変更に応答して選択表示画面の表示を変更したが、ポートレートモード、スポーツモード、夕景モード、夜景モードおよびテキストモード等のシーンモードの変更に応答して変更するようにしてもよい。
【図面の簡単な説明】
【００９２】
【図１】デジタルカメラ１の正面図である。
【図２】デジタルカメラ１の上面図である。
【図３】デジタルカメラ１の側面図である。
【図４】デジタルカメラ１の背面図である。
【図５】デジタルカメラ１の内部構成を示すブロック図である。
【図６】デジタルカメラ１の撮影モードの動作を示すフローチャートである。
【図７】デジタルカメラ１の撮影モードの動作を示すフローチャートである。
【図８】デジタルカメラ１の撮影モードの動作を示すフローチャートである。
【図９】撮影モードにおける選択表示手段の表示の遷移を示す図である。
【図１０】プレビュー表示を示す図である。
【図１１】プレビュー表示にヒストグラムＨが重畳表示された状態を示す図である。
【図１２】一眼レフタイプのデジタルカメラ１の外観構成を示す背面図である。
【符号の説明】
【００９３】
１  デジタルカメラ
１０１  撮像レンズ
１０４  シャッタボタン
１０５  撮影モード切替スイッチ
１０６  プレビュースイッチ
１０７  モニタ拡大スイッチ
１１０  ＬＣＤ表示モニタ（モニタ）
１１１  電子ビューファインダ（ファインダ）
１１２  電子ファインダ切替スイッチ
１１３  ４連スイッチ
２０１  撮像センサ
ＳＣ１  ライブビュー表示
ＳＣ２  拡大ライブビュー表示
ＳＣ３  プレビュー表示
ＳＣ４  拡大プレビュー表示
ＳＣ５  アフタービュー表示
【図１】
2005303351.tif 000004
【図２】
2005303351.tif 000005
【図３】
2005303351.tif 000006
【図４】
2005303351.tif 000007
【図５】
2005303351.tif 000008
【図６】
2005303351.tif 000009
【図７】
2005303351.tif 000010
【図８】
2005303351.tif 000011
【図９】
2005303351.tif 000012
【図１０】
2005303351.tif 000013
【図１１】
2005303351.tif 000014
【図１２】
2005303351.tif 000015